(57)【要約】【課題】検査機器を操作する検査者の聴覚に頼らずに検査機器による音源受信機器の動作確認をすることができる音源受信機器の動作確認方法を提供する。【解決手段】本発明の音源受信機器の動作確認方法においては、音源受信機器動作確認装置１の検査機器４が、音源受信機器３から得た制御信号および音源配信機器２から得た試験信号の周波数を検出し、制御信号に応じた試験信号の周波数変化に基づいて、音源受信機器３における再生関連動作が正常に機能しているか否かを確認する。【選択図】図１
2011017593.tif 000002
【特許請求の範囲】
【請求項１】
再生、停止、一時停止、早送り、早戻し、前曲選択、次曲選択その他の再生関連動作に関する制御信号を音源受信機器から音源配信機器に送信し、
周波数が規則的に変化する試験信号を前記制御信号に基づいて再生するとともに再生された前記試験信号を前記音源配信機器から前記音源受信機器に送信し、
前記音源受信機器に接続された検査機器により、前記音源受信機器が送信または受信した前記制御信号および前記試験信号の周波数を検出するとともに、前記制御信号に応じた前記試験信号の周波数変化に基づいて前記音源受信機器における前記再生関連動作が正常に機能しているか否かを確認する
ことを特徴とする音源受信機器の動作確認方法。
【請求項２】
前記試験信号に係る周波数の一定の経時変化に基づいて、前記再生関連動作に係る再生、停止、一時停止、早送りまたは早戻しが正常に機能しているか否かを確認する
ことを特徴とする請求項１に記載の音源受信機器の動作確認方法。
【請求項３】
前記試験信号が一定時間ごとに少なくとも３つ以上に分割されているとともに前記分割された３つ以上の試験信号における各々の周波数は互いに異なっており、
前記分割された３つ以上の試験信号に係る周波数の違いに基づいて、前記再生関連動作に係る前曲選択もしくは次曲選択が正常に機能しているか否かを確認する
ことを特徴とする請求項１または請求項２に記載の音源受信機器の動作確認方法。
【請求項４】
前記再生関連動作のうちの音量調節に関する制御信号を前記音源受信機器から前記音源配信機器に送信し、
前記検査機器により、前記音源受信機器が送信または受信した前記制御信号および前記試験信号の音圧レベルを検出するとともに、前記試験信号に係る音圧レベルの変化に基づいて前記音量調節が正常に機能しているか否かを確認する
ことを特徴とする請求項１から請求項３のいずれか１項に記載の音源受信機器の動作確認方法。
【発明の詳細な説明】
【技術分野】
【０００１】
本発明は、音源受信機器の動作確認方法に係り、特に、ブルートゥースなどの無線通信対応音楽プレーヤ（オーディオ・ソースなどの音源配信機器）にリンクした無線通信対応ヘッドセット（オーディオ・シンクなどの音源受信機器）が正常に機能しているか否かを、人間の聴覚に頼らない検査機器を用いて試験する際に好適に利用できる音源受信機器の動作確認方法に関する。
【背景技術】
【０００２】
一般的に、ブルートゥース対応機器などの無線通信対応機器においては、音源配信機器（音楽データのストリーミング配信側）と音源受信機器（音楽データのストリーミング受信側）との接続性に問題があることが多い。そのため、ブルートゥース対応機器などの無線通信対応機器を開発する際には、音源配信機器と音源受信機器との接続性を確認するため、音源受信機器の動作確認が行なわれている。
【０００３】
従来の音源受信機器の動作確認方法は、図３に示すように、接続確認の対象となる音源配信機器１０２および音源受信機器１０３の他に、音源受信機器１０３の全動作を制御する検査機器１０４を用いた音源受信機器動作確認装置１０１により行なわれる。ここで、音源配信機器１０２とは、例えば、市販されている音楽プレーヤや携帯電話機などの音源機器である。また、音源受信機器１０３とは、例えば、イヤホーンやヘッドセットなどのスピーカ機器や、音源配信機器１０２の音源を利用して外部スピーカから音源を再生する車載オーディオ機器などの再生機器である。また、検査機器１０４とは、音源受信機器１０３に接続されたＰＣ（パーソナル・コンピュータ）などの機器である。
【０００４】
従来の音源受信機器の動作確認方法においては、再生、停止、一時停止、早送り、早戻し、前曲選択、次曲選択、音量調節その他の再生関連動作に関する制御信号が音源受信機器１０３から音源配信機器１０２に送信されると、音源配信機器１０２は、音楽データなどの音源を制御信号に基づいて再生する。また、この音源配信機器１０２は、再生された音源を音源配信機器１０２から音源受信機器１０３に送信する。音源受信機器１０３の動作は、検査機器１０４によって制御されている。そして、検査者ＯＰが行なった検査機器１０４の制御により音源受信機器１０３が送信した制御信号の内容、および、検査機器１０４を操作する検査者ＯＰがその者の聴覚により判断した音源の変化に基づいて、音源受信機器１０３における再生関連動作が正常に機能しているか否かを確認していた。
【０００５】
例えば、音源となる音楽データが音源受信機器１０３の再生関連動作により再生された際、音源受信機器１０３が正常に動作していれば、検査者ＯＰがその音楽を聴くことによりその再生が正常に行なわれたか否かを確認することができる。停止や一時停止、早送り、次曲選択などの他の再生関連動作も同様の手順によりその良否を確認することができる。
【先行技術文献】
【特許文献】
【０００６】
【特許文献１】特開平８−３１３５９０号公報
【発明の概要】
【発明が解決しようとする課題】
【０００７】
しかしながら、従来の音源受信機器の動作確認方法においては、検査者ＯＰの聴覚に頼らずに音源受信機器の動作確認をすることができないので、検査機器のみによる自動動作確認を行なうことができないという問題があった。
【０００８】
そこで、本発明はこれらの点に鑑みてなされたものであり、検査機器を操作する検査者の聴覚に頼らずに検査機器による音源受信機器の動作確認をすることができる音源受信機器の動作確認方法を提供することを本発明の目的としている。
【課題を解決するための手段】
【０００９】
前述した目的を達成するため、本発明の音源受信機器の動作確認方法は、その第１の態様として、再生、停止、一時停止、早送り、早戻し、前曲選択、次曲選択その他の再生関連動作に関する制御信号を音源受信機器から音源配信機器に送信し、周波数が規則的に変化する試験信号を制御信号に基づいて再生するとともに再生された試験信号を音源配信機器から音源受信機器に送信し、音源受信機器に接続された検査機器により、音源受信機器が送信または受信した制御信号および試験信号の周波数を検出するとともに、制御信号に応じた試験信号の周波数変化に基づいて音源受信機器における再生関連動作が正常に機能しているか否かを確認することを特徴としている。
【００１０】
本発明の第１の態様の音源受信機器の動作確認方法によれば、検査機器が認識できる試験信号に係る周波数の変化が音源受信機器の動作確認の良否を判断する判断材料として選択されているので、検査機器を操作する検査者の聴覚を動作確認の判断ツールから除外することができる。言い換えると、検査者が音源の再生状況を耳で聞いて確認することなく、検査機器が機械的な自動動作確認を行なうことができる。
【００１１】
本発明の第２の態様の音源受信機器の動作確認方法は、第１の態様の音源受信機器の動作確認方法において、試験信号に係る周波数の一定の経時変化に基づいて、再生関連動作に係る再生、停止、一時停止、早送りまたは早戻しが正常に機能しているか否かを確認することを特徴としている。
【００１２】
本発明の第２の態様の音源受信機器の動作確認方法によれば、試験信号に係る周波数に一定の経時変化が生じているので、再生関連動作に係る再生、停止、一時停止、早送りまたは早戻しを正確に確認することができる。
【００１３】
本発明の第３の態様の音源受信機器の動作確認方法は、第１または第２の態様の音源受信機器の動作確認方法において、試験信号が一定時間ごとに少なくとも３つ以上に分割されているとともに分割された３つ以上の試験信号における各々の周波数は互いに異なっており、分割された３つ以上の試験信号に係る周波数の違いに基づいて、再生関連動作に係る前曲選択もしくは次曲選択が正常に機能しているか否かを確認することを特徴としている。
【００１４】
本発明の第３の態様の音源受信機器の動作確認方法によれば、前曲選択もしくは次曲選択により分割された３つ以上の試験信号のうちのある１つの試験信号から他の試験信号へ移動したことをそれらの周波数の違いにより判断することができるので、再生関連動作に係る前曲選択もしくは次曲選択を正確に確認することができる。
【００１５】
本発明の第４の態様の音源受信機器の動作確認方法は、第１から第３のいずれか１の態様の音源受信機器の動作確認方法において、再生関連動作のうちの音量調節に関する制御信号を音源受信機器から音源配信機器に送信し、検査機器により、音源受信機器が送信または受信した制御信号および試験信号の音圧レベルを検出するとともに、試験信号に係る音圧レベルの変化に基づいて音量調節が正常に機能しているか否かを確認することを特徴としている。
【００１６】
本発明の第４の態様の音源受信機器の動作確認方法によれば、試験信号に係る音圧レベルの大小変化を再生関連動作に係る音量の大小調節により関連付けることにより、その音量の大小調節を正確に確認することができる。
【発明の効果】
【００１７】
本発明の音源受信機器の動作確認方法によれば、検査機器が認識できる試験信号に係る周波数もしくは音圧レベルの変化を音源受信機器の動作確認の良否を判断する判断材料として選択したので、検査機器を操作する検査者の聴覚に頼らずに、すなわち、検査者が音源の再生状況を耳で聞いて確認することなく、検査機器のみによる音源受信機器の機械的な自動動作確認を可能にすることができるという効果を奏する。
【図面の簡単な説明】
【００１８】
【図１】本発明の音源受信機器の動作確認方法の一実施形態に用いられる音源受信機器動作確認装置の一実施形態を示す概念図
【図２】第３の好適な条件を満たした試験信号（一定の経時変化をなし、かつ、周波数を互いに異ならせて３つ以上に分割された試験信号）の周波数と再生時間との関係を示すグラフ
【図３】従来の音源受信機器の動作確認方法に用いられる音源受信機器動作確認装置の一例を示す概念図
【発明を実施するための形態】
【００１９】
以下、本発明の音源受信機器の動作確認方法をその一実施形態により説明する。
【００２０】
本実施形態の音源受信機器の動作確認方法は、例えば、本実施形態の音源受信機器動作確認装置１により実施することができる。
【００２１】
本実施形態の音源受信機器動作確認装置１は、図１に示すように、音源配信機器２、音源受信機器３および検査機器４を備えている。
【００２２】
音源配信機器２とは、例えばＡ２ＤＰ（Advanced Audio Distribution Profile）におけるオーディオ・ソースなどのような、音楽データのストリーミング配信機器である。この音源配信機器２としては、例えばブルートゥースに対応した音楽プレーヤや携帯電話機、ＰＣなど、ブルートゥースや無線ＬＡＮなどの無線技術を利用して音源を音源受信機器３に送信可能な機器が用いられている。この音源配信機器２は、制御信号受信部、再生部および音源送信部を有する（図示せず）。
【００２３】
制御信号受信部は、再生、停止、一時停止、早送り、早戻し、前曲選択、次曲選択、音量調節その他の再生関連動作を制御する制御信号を受信する手段である。制御信号受信部の受信技術は例えばブルートゥースや無線ＬＡＮなどの無線通信技術を利用している。この制御信号は、音源受信機器３から送信される。
【００２４】
再生部は、制御信号に基づいて音源を再生する手段である。本実施形態における音源とは試験信号であり、その試験信号はその周波数が規則的に変化するように作成されている。試験信号の周波数としては、その周波数が規則的に変化する条件を満たしていれば、どのように設定されていても良い。また、再生部は、音量を大小いずれかに変化させる制御信号に基づいて、音源となる試験信号の音圧レベルを大小変化させるように形成されていることが好ましい。
【００２５】
ここで、試験信号は、第１の好適な条件として、その周波数が一定の経時変化をするように作成されていることが好ましい。例えば、再生開始０秒時における試験信号の周波数が５００ＭＨｚであって１秒当たりの周波数の連続的増加割合が５０ＭＨｚに設定されている場合が上記一定の経時変化に該当する。試験信号の再生開始０秒時における周波数およびその周波数の増加割合は自由に設定することができる。
【００２６】
また、この試験信号は、第２の好適な条件として、一定時間ごとに少なくとも３つ以上に分割されているとともに、その分割された３つ以上の試験信号における各々の周波数は互いに異なっていることが好ましい。例えば、試験信号が５０秒ごとに３つのセクションに分割されており、第１セクションが５００ＭＨｚ〜１０００ＭＨｚの間において変化する周波数、第２セクションが１５００ＭＨｚ〜２０００ＭＨｚの間において変化する周波数、第３セクションが２５００ＭＨｚ〜３０００ＭＨｚの間において変化する周波数、各セクションのインターバルが５秒に設定されている場合が上記の条件に該当する。
【００２７】
さらに、この試験信号は、前述の第１および第２の好適な条件を組み合わしてなる第３の好適な条件を満たして作成されていることが、より好ましい。例えば、図２に示すように、試験信号が５０秒ごとに３つのセクションに分割されており、第１セクションが５００ＭＨｚ〜１０００ＭＨｚの間において一定の経時変化をなす周波数、第２セクションが１５００ＭＨｚ〜２０００ＭＨｚの間において一定の経時変化をなす周波数、第３セクションが２５００ＭＨｚ〜３０００ＭＨｚの間において一定の経時変化をなす周波数、各セクションのインターバルが５秒に設定されている場合が上記の条件に該当する。
【００２８】
音源送信部は、制御信号に基づいて再生された音源を音源受信機器３に送信する手段である。音源送信部の送信技術は例えばブルートゥースや無線ＬＡＮなどの無線通信技術を利用している。
【００２９】
音源受信機器３とは、例えばＡ２ＤＰ（Advanced Audio Distribution Profile）におけるオーディオ・シンクなどのような、音楽データのストリーミング受信機器である。この音源受信機器３としては、例えばブルートゥースに対応したヘッドセットやスピーカ、車載オーディオ機器など、ブルートゥースや無線ＬＡＮなどの無線技術を利用して音源配信機器２から送信された音源を出力したり、音源配信機器２に対する再生関連動作を操作したりすることが可能な機器が用いられている。この音源受信機器３は、操作部、制御信号送信部および音源受信部を有する（図示せず）。
【００３０】
操作部は、音源配信機器２に対して再生関連動作を行なう手段である。再生ボタンなどの再生関連動作ボタンやそれに係るスイッチ素子がこの操作部の一例に該当する。
【００３１】
制御信号送信部は、操作部によって行なわれた再生関連動作に基づいて制御信号を送信する手段である。制御信号送信部の送信技術は例えばブルートゥースや無線ＬＡＮなどの無線通信技術を利用している。
【００３２】
音源受信部は、音源配信機器２から送信された試験信号を受信する手段である。音源受信部の受信技術は例えばブルートゥースや無線ＬＡＮなどの無線通信技術を利用している。
【００３３】
検査機器４としては、例えば試験用ＰＣなど、音源配信機器２と音源受信機器３とのペアリングを制御したり、音源受信機器３の再生関連動作を所定の信号により指示したりすることが可能な機器が用いられている。この検査機器４は、制御信号検出部、音源検出部および動作確認部を有する（図示せず）。
【００３４】
制御信号検出部は、音源受信機器３の制御信号送信部から送信された制御信号を検出する手段である。例えば検査機器４が音源受信機器３とＵＳＢケーブル（図示せず）で接続されている場合、検査機器４の制御信号検出部は、そのＵＳＢケーブルを介して制御信号を検出する。
【００３５】
音源検出部は、音源受信部が受信した試験信号の周波数を検出する手段である。この音源検出部は、音源受信部が受信した試験信号の音圧レベルも検出する手段であることが好ましい。例えば検査機器４が音源受信機器３とＵＳＢケーブルで接続されている場合、検査機器４の音源検出部は、そのＵＳＢケーブルを介して、音源配信機器２から音源受信機器３へ送信された試験信号の周波数および音圧レベルを検出する。
【００３６】
動作確認部は、制御信号検出部が検出した制御信号および音源検出部が検出した試験信号の周波数に基づいて、試験信号に係る周波数の変化から音源受信機器３が正常に動作しているか否かを確認する手段である。音源受信機器３の動作とは、再生、停止、一時停止、早送り、早戻し、前曲選択、次曲選択、音量調節その他の再生関連動作を意味している。また、この動作確認部は、制御信号および試験信号の音圧レベルに基づいて、試験信号に係る音圧レベルの変化から音源受信機器３による音量調節が正常に機能しているか否かを確認することができる手段でもあることが好ましい。
【００３７】
次に、本実施形態の音源受信機器動作確認装置１を用いて、本実施形態の音源受信機器の動作確認方法を説明する。
【００３８】
動作確認を行なう検査者によって、検査機器４から音源配信機器２に対して再生関連動作に係る制御が行なわれるか、音源配信機器２の操作部が操作されると、ペアリングしている音源受信機器３から音源配信機器２に対して、再生や早送り、前曲選択などの再生関連動作に関する制御信号が送信され、音源配信機器２は制御信号に基づいた再生関連動作を行なう。
【００３９】
また、音源配信機器２から試験信号が再生されると、音源配信機器２は音源受信機器３へ試験信号を送信する。
【００４０】
そして、検査機器４は、音源受信機器３が送信した制御信号と、音源受信機器３が受信した試験信号の周波数とをＵＳＢケーブルを介して検出する。また、検査機器４は、制御信号に応じた試験信号に係る周波数の変化に基づいて、音源受信機器３における再生関連動作が正常に機能しているか否かを確認する。
【００４１】
検査機器４の動作確認について、一例を示す。音源受信機器３が再生に係る制御信号を送信すると、音源配信機器２は周波数が規則的に変化する試験信号を送信するので、再生に係る制御信号および試験信号における周波数の規則的変化から、検査機器４は音源受信機器３による再生が正常に機能していることを確認することができる。
【００４２】
同様に、停止に係る制御信号の場合、それにより試験信号の周波数が０Ｈｚになることが検出されるとともに、その後の再生に係る制御信号により試験信号における再生開始０秒時の周波数が検出されることによって、検査機器４は音源受信機器３による停止が正常に機能していることを確認することができる。
【００４３】
一時停止に係る制御信号の場合、それにより試験信号の周波数が０Ｈｚになることが検出されるとともに、その後の再生に係る制御信号により試験信号における一時停止時の周波数が検出されることによって、検査機器４は音源受信機器３による一時停止が正常に機能していることを確認することができる。
【００４４】
早送りに係る制御信号の場合、それにより試験信号の周波数が再生時の時間経過よりも早く規則的に変化することが検出されることによって、検査機器４は音源受信機器３による早送りが正常に機能していることを確認することができる。試験信号が第１の好適な条件または第３の好適な条件を満たした場合、試験信号の周波数が一定の経時変化をするので、試験信号の周波数における急激な増加が検出されることにより、上記の時間経過を測定することなく、検査機器４は音源受信機器３による早送りが正常に機能していることを確認することができる。
【００４５】
早戻しに係る制御信号の場合、それにより試験信号の周波数が再生時の時間経過に逆行して規則的に変化することが検出されることによって、検査機器４は音源受信機器３による早戻しが正常に機能していることを確認することができる。試験信号が第１の好適な条件または第３の好適な条件を満たした場合、試験信号の周波数が一定の経時変化をするので、試験信号の周波数における急激な減少が検出されることにより、上記の時間経過を測定することなく、検査機器４は音源受信機器３による早戻しが正常に機能していることを確認することができる。
【００４６】
次曲選択に係る制御信号の場合、それにより再生中の試験信号における再生開始０秒時の周波数が検出されることによって、検査機器４は音源受信機器３による次曲選択が正常に機能していることを確認することができる。試験信号が第２の好適な条件または第３の好適な条件を満たした場合、試験信号が一定時間ごとに少なくとも３つ以上に分割されているとともに、その分割された３つ以上の試験信号における各々の周波数は互いに異なっているので、現在のセクションに対する次のセクションの再生開始０秒時の周波数が検出されることにより、未分割の試験信号における前曲選択の動作確認と混同することなく、検査機器４は音源受信機器３による次曲選択が正常に機能していることを確認することができる。
【００４７】
前曲選択に係る制御信号の場合、それにより再生中の試験信号における再生開始０秒時の周波数が検出されることによって、検査機器４は音源受信機器３による前曲選択が正常に機能していることを確認することができる。試験信号が第２の好適な条件または第３の好適な条件を満たした場合、試験信号が一定時間ごとに少なくとも３つ以上に分割されているとともに、その分割された３つ以上の試験信号における各々の周波数は互いに異なっているので、試験信号の再生時には現在のセクションの再生開始０秒時の周波数が、試験信号の停止時には現在のセクションに対する前のセクションの再生開始０秒時の周波数が検出されることにより、未分割の試験信号における前曲選択の動作確認と混同することなく、検査機器４は音源受信機器３による前曲選択が正常に機能していることを確認することができる。
【００４８】
音量調整に係る制御信号の場合、音量増加時に試験信号の音圧レベルが増加し、音量減少時に試験信号の音圧レベルが減少することが検出されることによって、検査機器４は音源受信機器３による音量調整が正常に機能していることを確認することができる。
【００４９】
次に、本実施形態の音源受信機器の動作確認方法の作用を説明する。
【００５０】
本実施形態の音源受信機器の動作確認方法においては、検査機器４が制御信号および試験信号の周波数を検出し、制御信号に応じた試験信号の周波数変化に基づいて、音源受信機器３における再生関連動作が正常に機能しているか否かを確認している。つまり、検査機器４が認識できる試験信号の周波数変化が音源受信機器３の動作確認の良否を判断する判断材料として選択されているので、検査機器４は、検査機器４を操作する検査者の聴覚をその動作確認の判断ツールから除外して、すなわち、検査者が音源の再生状況を聞いて確認することなく、動作確認をすることができる。
【００５１】
また、試験信号の周波数は、第１の好適な条件または第３の好適な条件の通り、一定の経時変化をなしていることが好ましい。これにより、試験信号が単に規則的に変化している場合と比較して、再生関連動作に係る再生、停止、一時停止、早送りまたは早戻しを正確に確認することができる。
【００５２】
さらに、試験信号は、第２の好適な条件または第３の好適な条件の通り、一定時間ごとに少なくとも３つ以上に分割されているとともに、分割された３つ以上の試験信号における各々の周波数は互いに異なっていることが好ましい。これにより、前曲選択もしくは次曲選択に応じて、分割された３つ以上の試験信号のうちのある１つの試験信号から他の試験信号へ移動したことをそれらの周波数の違いにより判断することができるので、試験信号が単に規則的に変化している場合と比較して、再生関連動作に係る前曲選択もしくは次曲選択を正確に確認することができる。
【００５３】
そのうえ、検査機器４は試験信号の音圧レベルを検出することができるように形成されていることが好ましい。これにより、試験信号に係る音圧レベルの大小変化を再生関連動作に係る音量の大小調節により関連付けることができるので、その音量の大小調節を正確に確認することができる。
【００５４】
すなわち、本実施形態の音源受信機器の動作確認方法によれば、検査機器４が認識できる試験信号に係る周波数もしくは音圧レベルの変化を音源受信機器３の動作確認の良否を判断する判断材料として選択したので、検査機器４を操作する検査者の聴覚に頼らずに検査機器４のみによる音源受信機器３の機械的な自動動作確認を可能にすることができるという作用効果を奏する。
【００５５】
なお、本発明は、前述した実施形態などに限定されるものではなく、必要に応じて種々の変更が可能である。
【符号の説明】
【００５６】
１  音源受信機器動作確認装置
２  音源配信機器
３  音源受信機器
４  検査機器
【図１】
2011017593.tif 000003
【図２】
2011017593.tif 000004
【図３】
2011017593.tif 000005